(57)【要約】  本発明は、断熱バリアが角部構造物（３０）の列を含んでおり、これらの角部構造物が二平面断熱ブロック（３１）および金属製アングルセクション（３２）を含んでおり、前記列の２つの連続する角部構造物が、間に空間（３８）が存在するように配置されており、前記空間は、前記金属製アングルセクションの突出部分（５３）によって少なくとも部分的に覆われており、支持面が、２つの角部構造物の二平面断熱ブロックの間に配置されたアンカー部材（４５）を保持しており、金属製アングルセクションの突出部分に形成された切り欠き（５４）が、前記アンカー部材（４５）へのアクセスを形成している、密閉断熱タンクに関する。【選択図】  図４
2021501858.tif 000002
【特許請求の範囲】
【請求項１】
流体を貯蔵するための密閉断熱タンクであって、
断熱バリアと、前記断熱バリアの内面に配置された封止バリアとを含んでおり、前記断熱バリアは、アンカー部材を保持する支持面上に配置され、前記アンカー部材によって前記支持面上に保持され、前記支持面は、少なくとも２つの平坦な領域を有し、前記少なくとも２つの平坦な領域は、間に角度を形成し、稜線領域（１０）において出会っており、
前記断熱バリアは、前記支持面の前記稜線領域に沿って配置された角部構造物（３０、１３０、２３０、３３０）の列と、前記角部構造物の列の両側において前記支持面の前記平坦な領域上に配置された平坦な断熱パネル（２９、１２９、３２９）とを含み、
少なくとも１つの前記角部構造物は、
・前記平坦な領域にそれぞれ平行であり、間に角度を形成している２つの面を有しており、前記面は、前記支持面の前記対応する平坦な領域に押し付けられる平坦な外側表面と、前記対応する平坦な領域に平行かつ前記平坦な外側表面から厚さ方向に離れている平坦な内側表面とを含む二平面断熱ブロック（３１、２３１、３３１）と、
・前記支持面の前記稜線領域に整列した前記封止バリアを形成するために、前記二平面断熱ブロックの前記平坦な内側表面に固定され、前記稜線領域の方向に沿って前記二平面断熱ブロックよりも突出する突出部分（５３、１５３、２５３、３５３）を有している金属製アングルセクション（３２、６５、１３２、２３２、３３２）と
を含み、
前記列における２つの連続する角部構造物は、前記二平面断熱ブロックの間に前記稜線領域の方向に沿った空間（３８、１３８、３３８）が存在するように配置され、前記空間は、前記２つの連続する角部構造物のうちの少なくとも一方の前記金属製アングルセクションの前記突出部分（５３、１５３、２５３、３５３）によって少なくとも部分的に覆われ、
前記支持面は、前記２つの角部構造物の前記二平面断熱ブロックの間に配置された１つの前記アンカー部材（４５、１４５、３４５）を保持し、前記２つの連続する角部構造物のうちの前記少なくとも一方は、前記アンカー部材（４５、１４５、３４５）へのアクセスを形成するために、前記二平面断熱ブロックの間に配置された前記アンカー部材に整列させて前記金属製アングルセクションの前記突出部分に作られた切り欠き（５４、２５４、３５４）を有する、密閉断熱タンク。
【請求項２】
前記空間は、前記２つの連続する角部構造物の前記金属製アングルセクションにそれぞれ属する互いに対向する２つの突出部分（５３、１５３、２５３、３５３）によって部分的に覆われ、互いに対向する前記２つの突出部分の各々が、前記アンカー部材に整列させて作られた切り欠き（５４、２５４、３５４）を含む、請求項１に記載のタンク。
【請求項３】
前記切り欠き（５４、２５４、３５４）は、前記稜線領域に対して横向きの前記突出部分の端縁に形成される、請求項１または２に記載のタンク。
【請求項４】
前記２つの連続する角部構造物（３３０）の前記二平面断熱ブロック（３３１）の間に配置された前記アンカー部材（３４５、３５０）は、前記２つの角部構造物の前記二平面断熱ブロックに係合して、前記二平面断熱ブロック（３３１）を前記支持面上に保持する、請求項１〜３のいずれか一項に記載のタンク。
【請求項５】
前記アンカー部材は、
前記支持面に固定され、前記二平面断熱ブロックの間の前記空間において内向きに突出するスタッド（３４５）と、
前記スタッド上に取り付けられ、前記２つの二平面断熱ブロック（３３１）にそれぞれ係合する２つの横部分を有している押さえ棒（３５０）と、
前記スタッド（３４５）にねじ込まれ、前記押さえ棒（３５０）を前記支持面に向かって押すナットと
を含む、請求項４に記載のタンク。
【請求項６】
前記２つの連続する角部構造物の前記二平面断熱ブロック（３１、２３１）の間に配置された前記アンカー部材は、前記角部構造物の列に隣接する平坦な断熱パネル（２９、１２９）に係合し、前記平坦な断熱パネルを前記支持面上に保持する、請求項１〜５のいずれか一項に記載のタンク。
【請求項７】
前記アンカー部材は、
前記支持面に固定され、前記二平面断熱ブロックの間の前記空間において内向きに突出するスタッド（４５、１４５）と、
前記スタッド上に取り付けられ、前記稜線領域の方に面している第１の部分と、前記稜線領域とは反対の方向に前記二平面断熱ブロック（３１、２３１）よりも突出し、前記平坦な断熱パネル（２９、１２９）に係合する第２の部分（５１）とを有している押さえ棒（５０、１５０）と、
前記スタッドにねじ込まれ、前記押さえ棒（５０、１５０）を前記支持面に向かって押すことができるナット（４７）と
を含む、請求項６に記載のタンク。
【請求項８】
前記ナットが前記押さえ棒を押していないとき、前記押さえ棒を、
・前記押さえ棒が、前記平坦な孤立パネル（２９、１２９）の場所を空けておくために、前記２つの連続する角部構造物の前記二平面断熱ブロック（３１、２３１）の間の前記空間に収容される後退位置と、
・前記第２の部分（５１）が、前記平坦な断熱パネル（２９、１２９）との係合のために、前記稜線領域とは反対の方向に前記二平面断熱ブロック（３１、２３１）よりも突出する伸長位置と
の間で、前記稜線領域に対する横方向にスライドさせることができるように、前記押さえ棒は前記スタッドが通過するスロットを有している、請求項７に記載のタンク。
【請求項９】
前記角部構造物の列に隣接する平坦な断熱パネル（２９、１２９）は、堅固な下部シートと堅固なカバーシート（２５）との間に挟まれた断熱ポリマー発泡体の層を含んでおり、前記堅固なカバーシートおよび前記断熱ポリマー発泡体層は、前記断熱パネルの厚さに形成され、前記堅固な下部シートの内面の支持領域（２８）を露出させる凹部（２７、１２７）を有し、前記凹部は、前記稜線領域に平行な前記平坦な断熱パネルのエッジ（２６）に現れ、前記角部構造物の列に面し、前記アンカー部材は、前記下部シートの前記支持領域（２８）に係合する、請求項６〜８のいずれか一項に記載のタンク。
【請求項１０】
前記断熱パネルの厚さに形成された前記凹部は、前記平坦な断熱パネルの前記エッジ（２６）に垂直に向けられたノッチ（２７）である、請求項９に記載のタンク。
【請求項１１】
前記平坦な断熱パネルは、矩形の平行六面体形状を有し、前記凹部（１２７）は、前記平坦な断熱パネルの角部に作られている、請求項９または１０に記載のタンク。
【請求項１２】
前記支持面は、前記稜線領域（１０）に沿って分布した複数のアンカー部材（４５、１４５）を保持し、前記複数のアンカー部材の各々は、連続する角部構造物（３０、１３０、２３０）の２つの二平面断熱ブロックの間に配置され、前記角部構造物の列に隣接する前記平坦な断熱パネル（２９、１２９）のそれぞれの領域に係合して、前記平坦な断熱パネルを前記支持面上に保持する、請求項６〜１１のいずれか一項に記載のタンク。
【請求項１３】
前記支持面は、前記稜線領域（１０）の一端部において前記稜線領域に対して横向きの第３の平坦領域を含み、前記角部構造物の列の最後の角部構造物（１３０）が、前記二平面断熱ブロックに加えて、前記第３の平坦領域に平行かつ前記二平面断熱ブロック（１３０）の前記２つの面と角度を形成する第３の面（１００）を含み、
前記最後の角部構造物（１３０）の前記金属製アングルセクション（１３２）は、前記第３の面の平坦な内面上を延び、前記支持面の前記稜線領域の前記端部に整列した前記封止バリアを形成し、前記金属製アングルセクションは、前記第３の面を前記二平面断熱ブロックへと接続し、前記金属製アングルセクション（１３２）の前記突出部分（１５３）は、前記角部構造物の列のうちの最後から２番目の角部構造物（２３０）に向かって前記第３の面（１００）とは反対の方向に突出している、請求項１〜１２のいずれか一項に記載のタンク。
【請求項１４】
前記角部構造物の列のうちの前記最後から２番目の角部構造物（２３０）の前記二平面断熱ブロック（２３１）は、前記稜線領域の中央部分に位置する角部構造物と比べて、前記稜線領域の方向に沿った寸法が大きく、前記最後から２番目の角部構造物の前記金属製アングルセクションは、前記稜線領域の方向に沿って並置され、前記二平面断熱ブロック（２３１）の前記平坦な内面に固定された２つのアングル部分（２３２、６５）からなる、請求項１３に記載のタンク。
【請求項１５】
前記最後から２番目の角部構造物の第１のアングル部分（２３２）が、前記二平面断熱ブロック（２３１）を前記支持面上に固定するように機能するアンカー部材を通すためのオリフィス（２３７）を有し、前記稜線領域の前記端部の側に位置する前記最後から２番目の角部構造物の第２のアングル部分（６５）が、連続的な表面を有する、請求項１４に記載のタンク。
【請求項１６】
断熱材料（３９）のブロックが、前記金属製アングルセクションの前記突出部分（５３、１５３、２５３、３５３）と前記支持面との間で前記二平面断熱ブロックの間の前記空間（３８、１３８、３３８）に配置され、前記断熱材料（３９）のブロックは、前記金属製アングルセクションの前記突出部分に形成された前記切り欠き（５４、２５４、３５４）と前記二平面断熱ブロックの間に配置された前記アンカー部材との間の通路（５６）を有している、請求項１〜１５に記載のタンク。
【請求項１７】
前記封止バリアは、前記２つの連続する角部構造物の前記金属製アングルセクション（３２、１３２、２３２、６５）にまたがって配置され、前記２つの角部構造物の前記金属製アングルセクションの間に封止接続をもたらす閉鎖部品（６８）を含み、
前記閉鎖部品（６８）は、前記金属製アングルセクションの間に位置するすき間と、前記二平面断熱ブロックの間の前記空間を覆う前記突出部分または各々の突出部分の前記切り欠き（５４、２５４、３５４）とを覆う、請求項１〜１６に記載のタンク。
【請求項１８】
前記支持面の一平坦な領域または各々の平坦な領域に整列した前記封止バリアは、前記稜線領域に平行な波形と、前記稜線領域に垂直な波形と、前記波形の間に位置する平坦な領域とを有する金属膜（６７）を含み、前記稜線領域に平行な前記金属膜（６７）の一エッジが、前記連続する角部構造物の前記金属製アングルセクション（３２、２３２、６５）へと溶接され、前記稜線領域に垂直な波形は、前記連続する角部構造物の前記金属製アングルセクションの間に位置するすき間に整列している、請求項１〜１７に記載のタンク。
【請求項１９】
前記閉鎖部品（６８、１６８）は、前記金属膜の波形に整列した前記稜線領域に垂直な波形と、前記波形の両側に位置し、前記２つの角部構造物の前記金属製アングルセクションにそれぞれ溶接された２つの平坦な部分とを含む、請求項１７に従属する請求項１８に記載のタンク。
【請求項２０】
前記断熱バリアは、一次断熱バリアであり、前記封止バリアは、一次封止バリアであり、当該タンクは、二次封止バリア（１５）によって覆われた実質的に多面体の内面を有し、前記支持面を形成している二次断熱バリア（１３、１１３、２１３）をさらに含む、請求項１〜１９のいずれか一項に記載のタンク。
【請求項２１】
流体を輸送するための船舶（７０）であって、
二重船体（７２）と、前記二重船体内に配置された請求項１〜２０のいずれか一項に記載のタンク（７１）とを含む船舶。
【請求項２２】
流体を輸送するためのシステムであって、
請求項２１に記載の船舶（７０）と、前記船舶の前記船体内に設置された前記タンク（７１）を水上または陸上の貯蔵設備（７７）へと接続するように配置された断熱パイプ（７３、７９、７６、８１）と、流体を前記断熱パイプを通って前記水上または陸上の貯蔵設備から前記船舶の前記タンクへと運び、あるいは前記船舶の前記タンクから前記水上または陸上の貯蔵システムへと運ぶためのポンプとを含むシステム。
【請求項２３】
請求項２１に記載の船舶（７０）の積み込みまたは積み下ろしのための方法であって、
流体が断熱パイプ（７３、７９、７６、８１）を通って水上または陸上の貯蔵設備（７７）から前記船舶の前記タンク（７１）へと運ばれ、あるいは前記船舶の前記タンク（７１）から水上または陸上の貯蔵システム（７７）へと運ばれる方法。
【請求項２４】
請求項１〜２０のいずれか一項に記載の密閉断熱タンクを製造するための方法であって、
支持面を用意するステップと、
前記支持面上にアンカー部材（４５、１４５、３４５）を組み付けるステップと、
前記支持面の稜線領域に沿って角部構造物（３０、１３０、２３０、３３０）の列を、前記アンカー部材（４５、１４５、３４５）が前記列の２つの連続する角部構造物の前記二平面断熱ブロックの間に配置されるように組み付けるステップと、
前記アンカー部材に整列させて前記金属製アングルセクションの前記突出部分に作られた前記切り欠き（５４、２５４、３５４）を通って前記アンカー部材（４５、１４５、３４５）にアクセスして、前記アンカー部材を前記断熱バリアの要素を前記支持面上に保持する係合状態にするステップと
を含む方法。
【発明の詳細な説明】
【技術分野】
【０００１】
本発明は、極低温流体などの流体を貯蔵および／または輸送するための密閉断熱膜タンクの分野に関する。
【０００２】
密閉断熱膜タンクは、とくには、大気圧で約−１６２℃で貯蔵される液化天然ガス（ＬＮＧ）の貯蔵に使用される。これらのタンクを、陸上または浮体構造物に設置することができる。浮体構造物の場合、タンクは、液化天然ガスを輸送するためのものであってよく、あるいは浮体構造物の推進用の燃料として使用される液化天然ガスを受け入れるためのものであってよい。
【背景技術】
【０００３】
実質的に多面体の内面を有する荷重支持構造物へと組み込まれ、二次断熱バリアと、二次封止バリアと、一次断熱バリアと、一次封止バリアとを厚さ方向に連続して備えている密閉断熱膜タンクを構築するためのさまざまな技術が知られている。
【０００４】
二次断熱バリアが、荷重支持構造物の多面体の内面に並べて配置された二次断熱ブロックで基本的に構成され、二次封止バリアが、二次断熱ブロックの内面に配置された波形の金属膜で構成され、一次断熱バリアが、二次金属膜上に並べて配置され、二次断熱ブロックによって保持されたアンカー部材によって二次断熱バリアへと固定された一次断熱ブロックで基本的に構成され、一次封止バリアが、一次断熱ブロックの内面に配置された波形の金属膜で構成されているタンクの壁が、例えば国際公開第２０１４／１６７２１４号パンフレットまたは国際公開第２０１７／００６０４４号パンフレットから知られている。荷重支持構造物の稜線に沿って、一次および二次断熱ブロックは、事前に製作された角部構造物で構成される。
【発明の概要】
【０００５】
次に、本発明の特定の態様を、図１を参照して説明する。図１は、断熱バリアの一部分を示しており、断熱バリアは、稜線４において出会う２つの平坦な領域２および３を有する多面体の支持面１上に並べて配置された断熱ブロックで基本的に構成され、２つの平坦な領域２および３の間には角度が形成されている。断熱ブロックは、稜線に沿って配置され、２つの平坦な領域２および３の各々にそれぞれ平行な２つの面を有している角部構造物５と、角部構造物５の各側において支持面の平坦な領域上に配置される平坦な断熱パネル６とを含む。
【０００６】
図１において見て取ることができるとおり、平坦な断熱パネル６が最初に組み立てられた場合、矢印７によって示されるように、角部構造物５を稜線に沿わせて配置することができなくなるというスペースの問題が生じうる。結果として、平坦な領域を最後に仕上げることによって断熱バリアを構築することが、好ましいかもしれない。しかしながら、ひとたび角部構造物５が稜線に沿って配置されると、稜線４の付近の支持面の全領域が、もはやアクセス不可能になる。
【０００７】
さらに、製造コストを削減するために、可能な限り標準化された断熱ブロックで断熱バリアを製造することが好ましい。しかしながら、船舶の船体などの大型の荷重支持構造物の製造は、例えば数センチメートルという大きな寸法公差を免れず、したがってタンクの寸法を構築前に完全に計画することが不可能である。結果として、荷重支持構造物の実際の寸法に応じて、少なくとも一部の断熱ブロックを測定寸法に合わせて製作することが必要となりうる。
【０００８】
本発明の背後にある１つのアイデアは、上述の制約の少なくともいくつかを許容することをより容易にする密閉断熱多層タンクを提案することである。本発明の背後にある別のアイデアは、大きな表面上に容易に製造することができる密閉断熱多層構造物を提供することである。
【０００９】
この目的のために、本発明は、流体を貯蔵するための密閉断熱タンクであって、
断熱バリアと、前記断熱バリアの内面に配置された封止バリアとを含んでおり、前記断熱バリアは、アンカー部材を保持する例えば実質的に多面体の支持面上に配置され、前記アンカー部材によって前記支持面上に保持され、前記支持面は、少なくとも２つの平坦な領域を有し、前記少なくとも２つの平坦な領域は、間に角度を形成し、稜線領域において出会っており、
前記断熱バリアは、前記支持面の前記稜線領域に沿って配置された角部構造物の列と、前記角部構造物の列の両側において前記支持面の前記平坦な領域上に配置された平坦な断熱パネルとを含み、
少なくとも１つまたは各々の前記角部構造物は、
・前記平坦な領域にそれぞれ平行であり、間に角度を形成している２つの面を有しており、前記面または各々の面は、前記支持面の前記対応する平坦な領域に押し付けられる平坦な外側表面と、前記対応する平坦な領域に平行かつ前記平坦な外側表面から厚さ方向に離れている平坦な内側表面とを含む二平面断熱ブロックと、
・前記支持面の前記稜線領域に整列した前記封止バリアを形成するために、前記二平面断熱ブロックの前記平坦な内側表面に固定され、前記稜線領域の方向に沿って前記二平面断熱ブロックよりも突出する突出部分を有している金属製アングルセクションと
を含み、
前記列における２つの連続する角部構造物は、前記二平面断熱ブロックの間に前記稜線領域の方向に沿った空間が存在するように配置され、前記空間は、前記２つの連続する角部構造物のうちの少なくとも一方の前記金属製アングルセクションの前記突出部分によって少なくとも部分的に覆われ、
前記支持面は、前記２つの角部構造物の前記二平面断熱ブロックの間に配置された１つの前記アンカー部材を保持する、密閉断熱タンクを提供する。
【００１０】
したがって、アンカー部材を使用して、例えば角部構造物の列に隣接する平坦な断熱パネルまたは角部構造物の列の二平面断熱ブロックなどの断熱バリアの要素を支持面上に保持することができる。
【００１１】
いくつかの実施形態によれば、このようなタンクは、以下の特徴のうちの１つ以上を含むことができる。
【００１２】
一実施形態によれば、前記２つの連続する角部構造物のうちの前記少なくとも一方は、前記アンカー部材へのアクセスを形成するために、前記二平面断熱ブロックの間に配置された前記アンカー部材に整列させて前記金属製アングルセクションの前記突出部分に作られた切り欠きを有する。
【００１３】
このような切り欠きのおかげで、角部構造物の列を配置した後に、２つの二平面断熱ブロックの間の空間を少なくとも部分的に覆う一方または両方の金属製アングルセクションの突出部の存在にもかかわらず、２つの二平面断熱ブロックの間に配置されたアンカー部材に依然としてアクセス可能である。このアクセスにより、例えばねじ込み工具によってアングルセクションの内面からアンカー部材に容易に作用することが可能になる。
【００１４】
金属製アングルセクションの突出部分は、連続する角部構造物の金属製アングルセクションの間の空間を制限することを可能にし、したがって閉鎖部品による封止バリアの封止閉鎖を容易にし、これらの閉鎖部品および封止膜全般の据わりを改善する。金属製アングルセクションは、ただ１つの端部に突出部分を有することができ、あるいは稜線領域の方向に沿った２つの反対向きの端部の２つの突出部を有することができる。アンカー部材に整列させて形成された切り欠きは、単一の金属製アングルセクションの突出部分、または２つの連続する金属製アングルセクションの互いに向かい合う２つの突出部分に延びることができる。
【００１５】
一実施形態によれば、前記空間は、前記２つの連続する角部構造物の前記金属製アングルセクションにそれぞれ属する互いに対向する２つの突出部分によって部分的に覆われ、互いに対向する前記２つの突出部分の各々が、前記アンカー部材に整列させて作られた切り欠きを含む。これらの特徴により、２つの突出部分の各々において、金属製アングルセクションの機械的強度への切り欠きの影響を限定的にする比較的小さな断面の切り欠きを使用しつつ、満足できるサイズのアクセスを形成することができる。
【００１６】
一実施形態によれば、角部構造物の金属製アングルセクションは、稜線領域の方向に沿った金属製アングルセクションの２つの反対向きの端部において二平面断熱ブロックよりも突出する２つの突出部分を有する。これらの特徴により、角部構造物を同一に構成でき、したがって製造コストを削減することができる。
【００１７】
一実施形態によれば、前記切り欠きまたは各々の切り欠きは、稜線領域に対して横向きの前記突出部分の端縁に作られる。これらの特徴により、切り欠きの製造が容易になる。
【００１８】
一実施形態によれば、前記金属製アングルセクションは、二平面断熱ブロックの２つの面を互いに接続する。
【００１９】
一実施形態によれば、２つの連続する角部構造物の二平面断熱ブロックの間に配置されたアンカー部材は、２つの角部構造物の二平面断熱ブロックに係合して、これらの二平面断熱ブロックを支持面上に保持する。
【００２０】
この場合、アンカー部材は、
支持面に固定され、二平面断熱ブロックの間の空間に内向きに突出するスタッドと、
前記スタッド上に取り付けられ、２つの二平面断熱ブロックにそれぞれ係合する２つの横部分を有している押さえ棒と、
スタッドにねじ込まれ、押さえ棒を支持面に向かって押すナットと
を含むことができる。
【００２１】
一実施形態によれば、前記押さえ棒は、前記スタッドが通過するスロットを有し、したがって前記ナットが前記押さえ棒を押していないとき、前記押さえ棒を、
・前記押さえ棒が、前記平坦な孤立パネルの場所を空けておくために、前記２つの連続する角部構造物の前記二平面断熱ブロックの間の前記空間に収容される後退位置と、
・前記第２の部分が、前記平坦な断熱パネルとの係合のために、前記稜線領域とは反対の方向に前記二平面断熱ブロックよりも突出する伸長位置と
の間で、前記稜線領域に対する横方向にスライドさせることができ、
前記ナットは、前記押さえ棒を前記支持面に向かって押すことにより、前記押さえ棒の前記スライドを止めることができる。
【００２２】
一実施形態によれば、前記２つの連続する角部構造物の前記二平面断熱ブロックの間に配置された前記アンカー部材は、前記角部構造物の列に隣接する平坦な断熱パネルに係合し、前記平坦な断熱パネルを前記支持面上に保持する。
【００２３】
これらの特徴により、連続する角部構造物の間に位置する１つ以上のアンカー部材によって、角部構造物の列に隣接する平坦な断熱パネルを固定することが可能である。この構成は、とくには角部構造物の列に隣接する平坦な断熱パネルを測定寸法に合わせて製作する必要があり、したがって標準化が不可能である場合に、アンカー部材の配置および実装を簡単にする。
【００２４】
この構成は、支持面が二次角部構造物と平坦な二次断熱パネルとで構成される二次バリアによってもたらされる場合に、これらのアンカー部材を、とくには二次角部構造物上で稜線領域の比較的近くに配置することができるという利点も有する。二次角部構造物に隣接する平坦な二次断熱パネルが平坦な一次断熱パネルのためのこれらのアンカー部材を保持する必要がないため、これらの平坦な二次断熱パネルを、より容易に測定寸法に合わせて製作することができる。
【００２５】
この場合に、前記アンカー部材は、
前記支持面に固定され、前記二平面断熱ブロックの間の前記空間に内向きに突出するスタッドと、
前記スタッド上に取り付けられ、前記稜線領域の方に面している第１の部分と、前記稜線領域とは反対の方向に前記二平面断熱ブロックよりも突出し、前記平坦な断熱パネルに係合する第２の部分とを有している押さえ棒と、
前記スタッドにねじ込まれ、前記押さえ棒を前記支持面に向かって押すナットと
を含むことができる。
【００２６】
一実施形態によれば、前記角部構造物の列に隣接する平坦な断熱パネルは、堅固な下部シートと堅固なカバーシートとの間に挟まれた断熱ポリマー発泡体の層を含んでおり、前記堅固なカバーシートおよび前記断熱ポリマー発泡体層は、前記断熱パネルの厚さに形成され、前記堅固な下部シートの内面の支持領域を露出させる凹部を有し、前記凹部は、前記稜線領域に平行な前記平坦な断熱パネルのエッジに現れ、前記角部構造物の列に面し、前記アンカー部材、とくには前記押さえ棒の前記第２の部分は、前記下部シートの前記支持領域に係合する。
【００２７】
一実施形態によれば、前記断熱パネルの厚さに形成された前記凹部は、前記平坦な断熱パネルの前記エッジに垂直に向けられたノッチである。そのようなノッチを、さまざまな位置に形成することができ、例えば角部構造物の列に面する平坦な断熱パネルのエッジの端部および／または平坦な断熱パネルのこのエッジの中央部分に形成することができる。
【００２８】
一実施形態によれば、前記平坦な断熱パネルは、矩形の平行六面体形状を有し、前記凹部は、前記平坦な断熱パネルの角部に作られる。
【００２９】
一実施形態によれば、前記支持面は、前記稜線領域に沿って分布した複数のアンカー部材を保持し、前記複数のアンカー部材の各々は、連続する角部構造物の２つの二平面断熱ブロックの間に配置され、前記角部構造物の列に隣接する前記平坦な断熱パネルのそれぞれの領域に係合して、前記平坦な断熱パネルを前記支持面上に保持する。
【００３０】
一実施形態によれば、前記支持面は、前記稜線領域の一端部において前記稜線領域に対して横向きの第３の平坦領域を含み、前記角部構造物の列の最後の角部構造物が、前記二平面断熱ブロックに加えて、前記第３の平坦領域に平行かつ前記二平面断熱ブロックの前記２つの面と角度を形成する第３の面を含み、
前記最後の角部構造物の前記金属製アングルセクションは、前記第３の面の平坦な内面上を延び、前記支持面の前記稜線領域の前記端部に整列した前記封止バリアを形成し、前記金属製アングルセクションは、前記第３の面を前記二平面断熱ブロックへと接続し、前記金属製アングルセクションの前記突出部分は、前記角部構造物の列のうちの最後から２番目の角部構造物に向かって前記第３の面とは反対の方向に突出する。
【００３１】
一実施形態によれば、前記角部構造物の列のうちの前記最後から２番目の角部構造物の前記二平面断熱ブロックは、前記稜線領域の中央部分に位置する角部構造物と比べて、前記稜線領域の方向に沿った寸法が大きく、前記最後から２番目の角部構造物の前記金属製アングルセクションは、前記稜線領域の方向に沿って並置され、前記二平面断熱ブロックの前記平坦な内面に固定された２つのアングル部分からなる。
【００３２】
一実施形態によれば、前記最後から２番目の角部構造物の第１のアングル部分が、前記二平面断熱ブロックを前記支持面上に固定するように機能するアンカー部材を通すためのオリフィスを有し、前記稜線領域の前記端部の側に位置する前記最後から２番目の角部構造物の第２のアングル部分が、連続的な表面を有する。
【００３３】
これらの特徴により、最後から２番目の角部構造物を、稜線領域の方向に沿った支持構造物の寸法に合わせてきわめて簡単に調整でき、この支持構造物の製造公差を許容することができる。
【００３４】
一実施形態によれば、断熱材料のブロックが、前記二平面断熱ブロックの間の前記空間において、前記金属製アングルセクションの前記突出部分と前記支持面との間に配置される。一実施形態によれば、前記断熱材料のブロックは、前記金属製アングルセクションの前記突出部分に形成された前記切り欠きと、前記二平面断熱ブロックの間に配置された前記アンカー部材との間の通路を有する。このような通路により、断熱材料のブロックを配置した後でもアンカー部材へのアクセスが依然として可能になり、したがってタンクの壁の組み立てが容易になる。
【００３５】
一実施形態によれば、前記封止バリアは、前記２つの連続する角部構造物の前記金属製アングルセクションにまたがって配置され、前記２つの角部構造物の前記金属製アングルセクションの間に封止接続をもたらす閉鎖部品を含み、
前記閉鎖部品は、前記金属製アングルセクションの間に位置するすき間と、前記二平面断熱ブロックの間の前記空間を覆う前記突出部分または各々の突出部分の前記切り欠きとを覆う。
【００３６】
一実施形態によれば、前記支持面の一平坦な領域または各々の平坦な領域に整列した前記封止バリアは、前記稜線領域に平行な波形と、前記稜線領域に垂直な波形と、前記波形の間に位置する平坦な領域とを有する金属膜を含み、前記稜線領域に平行な前記金属膜の一エッジが、前記連続する角部構造物の前記金属製アングルセクションへと溶接され、前記稜線領域に垂直な波形は、前記連続する角部構造物の前記金属製アングルセクションの間に位置するすき間に整列する。
【００３７】
一実施形態によれば、前記閉鎖部品は、前記金属膜の波形に整列した前記稜線領域に垂直な波形と、前記波形の両側に位置し、前記２つの角部構造物の前記金属製アングルセクションにそれぞれ溶接された２つの平坦な部分とを含む。
【００３８】
上述の特徴は、支持面を提供する荷重支持構造物上に直接構築される断熱バリアの構築、または前記支持面を提供する既存の二次バリア上に構築される一次断熱バリアの構築に使用することができる。
【００３９】
一実施形態によれば、前記断熱バリアは、一次断熱バリアであり、前記封止バリアは、一次封止バリアであり、タンクは、前記支持面を形成する二次断熱バリアをさらに含み、二次断熱バリアの実質的に多面体の内面は二次封止バリアによって覆われる。
【００４０】
そのようなタンクは、例えばＬＮＧを貯蔵するための陸上の貯蔵設備の一部を形成することができ、あるいは沿岸または沖合の浮体構造物、とくにはメタン輸送船、浮体式貯蔵および再ガス化ユニット（ＦＳＲＵ）、浮体式生産、貯蔵、および積み出しユニット（ＦＰＳＯ）、または他の構造物に設置することができる。
【００４１】
一実施形態によれば、低温の液体製品を輸送するための船舶は、二重船体と、二重船体に配置された上述のタンクとを含む。
【００４２】
さらに、一実施形態によれば、本発明は、そのような船舶の積み込みまたは積み下ろしのための方法であって、
流体が断熱パイプを通って水上または陸上の貯蔵設備から船舶のタンクへと運ばれ、あるいは船舶のタンクから水上または陸上の貯蔵システムへと運ばれる方法を提供する。
【００４３】
さらに、一実施形態によれば、本発明は、流体を輸送するためのシステムであって、
上述の船舶と、船舶の船体内に設置されたタンクを水上または陸上の貯蔵設備へと接続するように配置された断熱パイプと、流体を断熱パイプを通って水上または陸上の貯蔵設備から船舶のタンクへと運び、あるいは船舶のタンクから水上または陸上の貯蔵システムへと運ぶためのポンプとを含むシステムを提供する。
【００４４】
さらに、一実施形態によれば、本発明は、上述の密閉断熱タンクを製造するための方法であって、
支持面を用意するステップと、
支持面上にアンカー部材を組み付けるステップと、
支持面の稜線領域に沿って角部構造物の列を、前記アンカー部材が前記列の２つの連続する角部構造物の二平面断熱ブロックの間に配置されるように組み付けるステップと、
前記アンカー部材に整列させて金属製アングルセクションの突出部分に作られた切り欠きを通って前記アンカー部材にアクセスして、前記アンカー部材を断熱バリアの要素を支持面上に保持する係合状態にするステップと
を含む方法を提供する。
【図面の簡単な説明】
【００４５】
添付の図面を参照し、あくまでも本発明を限定するものではない例として提示される本発明のいくつかの具体的な実施形態の以下の説明から、本発明がより明瞭に理解され、そのさらなる目的、特徴、および利点が、さらに明らかになるであろう。
【図１】多面体の支持面上におおむね平行六面体のモジュールを備えるモジュール構造の断熱バリアの稜線における概略の断面図である。
【図２】密閉断熱タンクの壁のタンクの角部領域における斜視図であり、一次封止膜は省略されている。
【図３】一次角部構造物は省略されているが、一次角部構造物に隣接する平坦な一次断熱パネルは示されている図２と同様の図である。
【図４】図３の線ＩＶ−ＩＶに沿った断面における別の角度の値についての一次角部構造物の列を示す拡大斜視図である。
【図５】一次角部構造物の列の詳細の拡大斜視図である。
【図６】密閉断熱タンクの壁のタンクの角部領域における上面図であり、押さえ棒が格納されているときの平坦な断熱パネルの場所を示している。
【図７】タンクの３つの壁の間の交差部における二次角部構造物の配置を示す斜視図である。
【図８】図７の二次角部構造物上の一次角部構造物の配置を示す斜視図である。
【図９】タンクの３つの壁の間の交差部におけるタンクの斜視図であり、一次封止膜および平坦な一次断熱パネルの一部分が示されている。
【図１０】図９と同様の図であり、平坦な一次断熱パネルを覆う一次封止膜が示されている。
【図１１】別の実施形態による密閉断熱タンクの壁のタンクの角部領域における斜視図であり、封止膜は省略されている。
【図１２】メタン輸送タンクと、このタンクに対する積み込み／積み下ろしのためのターミナルの概略の切断図である。
【発明を実施するための形態】
【００４６】
慣例により、「外側」および「内側」という用語は、或る要素の別の要素に対する位置を、タンクの内側および外側を基準にして定義するために使用される。
【００４７】
以下で、液化天然ガスを貯蔵するための密閉断熱タンクの多層構造について説明する。タンクの各々の壁は、タンクの外側から内側に向かって、二次アンカー部材によって荷重支持構造物へと固定された並置された二次断熱要素を備える二次断熱バリアと、二次断熱要素によって保持された二次封止膜と、一次アンカー部材１９によって二次断熱要素に固定された並置された一次断熱要素を備える一次断熱バリアと、一次断熱要素によって保持され、タンクに収容される液化天然ガスとの接触に適した一次封止膜とを備える。
【００４８】
荷重支持構造物を、とくには、自立した金属薄板で構成でき、より一般的には、適切な機械的特性を有する任意の種類の剛的な仕切りで構成することができる。荷重支持構造物は、とくには、船舶の船体または二重船体によって形成されてよい。荷重支持構造物は、通常は多面体形状であるタンクの全体的な形状を定める複数の壁を含む。
【００４９】
タンクの平坦な領域を、例えば国際公開第２０１６／０４６４８７号パンフレットまたは国際公開第２０１７／００６０４４号パンフレットに従って、さまざまなやり方で製造することができる。荷重支持構造物の稜線に沿ったタンクの角部領域を、以下でさらに詳しく説明する。
【００５０】
図２および図３が、第１の荷重支持壁１１と第２の荷重支持壁１２との間の稜線１０におけるタンクの壁の構造を示している。
【００５１】
図示の実施形態において、第１の荷重支持壁１１と第２の荷重支持壁１２との間に形成される角度は、約９０°である。しかしながら、角度は、例えば１３５°程度の任意の他の値を有することができる。
【００５２】
二次断熱バリアは、稜線１０に沿って配置された一列の二次角部構造物１３を含み、図２および図３には、二次角部構造物１３が１つだけ示されている。二次角部構造物１３およびその内面１４に配置された二次封止膜１５を、例えば国際公開第２０１７／００６０４４号パンフレットに従って、さまざまなやり方で製作することが可能である。
【００５３】
ここで、二次角部構造物１３は、例えば合板から作られた２枚の剛体シート１７、１８の間に挟まれた断熱ポリマー発泡体１６の層からなるサンドイッチ構造を含む。内側シート１８は、二次封止膜１５の波形２４を受け入れるための垂直溝１９のネットワークを有する。波形２４は、タンクの外側に向かって荷重支持構造物の方へと突出し、それぞれが溝１９に受け入れられる。
【００５４】
図示されていない一変種においては、二次封止膜の波形の向きが、タンクの内側の方を向く。
【００５５】
さらに、内側シート１８は、二次封止膜のエッジを固定するために、例えばステンレス鋼または熱膨張係数の小さい合金で作られ、とくにはＩｎｖａｒ（登録商標）から作られる複数の金属プレート２０を備える。金属プレート２０は、内側シート１８に形成された凹部に取り付けられ、例えばねじ、リベット、またはクリップを使用して内側シート１８に固定される。あるいは、金属プレート２０は、例えば接着によって断熱ポリマー発泡体層１６上に直接固定される。
【００５６】
さらに、内側シート１８は、一次角部構造物３０を二次角部構造物１３に対して固定するための固定プレート２１も備える。固定プレート２１は、例えば内側シート１８へと接着され、さらには／あるいは例えばねじ、リベット、またはクリップを使用して内側シート１８に固定される。
【００５７】
さらに、二次封止膜１５は、複数のオリフィスを有し、そのそれぞれに、一次角部構造物３０の固定を可能にするアンカー部材を通すことができる。キャップナット２２が、各々のオリフィスを通過し、その外周に固定プレート２１のうちの１つに形成されたねじ穴２３と係合するねじ山を有する。加えて、キャップナット２２は、一次角部構造物３０を固定するためのスタッドを受け入れるためのねじ山付きの止まり穴を有する。さらに、キャップナット２２は、カラーを備え、このカラーと固定プレート２１との間に二次封止膜１５を挟むことが可能である。このカラーの周辺は、封止を保証するために二次封止膜１５へと溶接される。
【００５８】
一次断熱バリアは、タンクの稜線１０に沿って、複数の一次角部構造物３０を含む。一次角部構造物３０は、二平面断熱ブロック３１と、アングルセクション３２とを備える事前に組み立てられたアセンブリである。二平面断熱ブロック３１は、アングルセクション３２が載せられる内面と、二次封止膜１５に当接する外面とを有する。二平面断熱ブロック３１は、その厚さにおいて複合構造を有し、すなわち断熱ポリマー発泡体の層３３を２枚の合板シート３４、３５の間に挟んで含んでおり、合板シート３４、３５は、このポリマー発泡体層３３に接着されている。
【００５９】
アングルセクション３２は、例えばステンレス鋼から作られた金属製のアングルセクションである。アングルセクション３２は、二平面断熱ブロック３１の内面に当接する２つのフランジを有する。アングルセクション３２の各々のフランジは、このフランジの外面に溶接され、一次角部構造物３０をタンクに組み込む前にアングルセクション３２を二平面断熱ブロック３１へと固定するためにタンクの内側に向かって突き出したスタッド（図示せず）を有する。
【００６０】
さらに、アングルセクション３２の各々のフランジは、タンクの内側に向かって突出するスタッド３６を内面に有する。スタッド３６は、一次封止膜要素をアングルセクション３２へと溶接する際に、溶接設備を固定することを可能にする。
【００６１】
国際公開第２０１７／００６０４４号パンフレットに記載されているように、アングルセクション３２は、一次角部構造物３０を二次角部構造物１３へと固定するために、プレート２１によって保持されたスタッド（図示せず）にナットを取り付けることを可能にするオリフィス３７を備え、例えばオリフィス３７の数は、１つのアングルセクション３２に８つである。
【００６２】
図２および図４においてより明瞭に見て取ることができるとおり、一次角部構造物３０は、稜線１０に沿って延びる列の形態で、二次角部構造物１３上に配置される。この列において、２つの連続する一次角部構造物３０は、２つの二平面断熱ブロック３１の間に空間３８を有する。一般に、断熱ジョイント要素３９が、２つの二平面断熱ブロック３１の間の空間３８に挿入され、断熱の連続性をもたらす。
【００６３】
空間３８のうちの少なくともいくつかにおいて、二次角部構造物１３は、一次断熱要素との係合のためのアンカー部材を保持することができる。この場合について、図３〜図５を参照してより具体的に説明する。全体としてのアンカー要素が、図４において対称の中央平面に沿って切断されているため、この半分切断図が、アンカー要素の構造を理解するのに充分である。
【００６４】
この実施形態において、アンカー部材は、２つのプレート２１の間において二次角部構造物１３の内面に固定されたプレート４０を含む。プレート４０を、プレート２１と同様に、さまざまなやり方で二次角部構造物１３に固定することができる。プレート４０は、図４の半分切断図に示されるキャップナット４２を受け入れるためのねじ穴４１を有する。プレート４０は、各々の空間３８に整列して存在でき、あるいは３つのうちの１つなど、空間３８のうちの一部に整列して存在できる。
【００６５】
キャップナット４２は、図示されていない二次封止膜のオリフィスを通過し、プレート４０に形成されたねじ穴４１に係合するねじ山４３を外周に有している。加えて、キャップナット４２は、スタッド４５を受け入れる行き止まりのねじ穴４４を有する。さらに、キャップナット４２は、カラー４６を備え、このカラーとプレート４０との間に二次封止膜を挟むことが可能である。このカラーの周辺は、封止を保証するために二次封止膜１５へと溶接される。
【００６６】
図４に見られるように、スタッド４５は、２つの二平面断熱ブロック３１の間の空間３８の内部に向かって突出し、稜線１０に垂直に向けられた押さえ棒５０を固定するように機能する。ここで、押さえ棒５０は、Ｕ字形の断面を有しており、その基部が荷重支持構造物に面する。図示のとおりに組み立てられると、押さえ棒５０の第１の部分が、２つの二平面断熱ブロック３１の間の空間３８内に延び、スタッド４５が通過するスロット５８を有する。スタッド４５に螺合したナット４７が、押さえ棒５０を二次角部構造物１３の内面に向かって押すことを可能にする。
【００６７】
押さえ棒５０の第２の部分５１が、一次角部構造物３０の列に隣接する平坦な一次断熱パネル２９を押すために、一次角部構造物３０の列よりも突出する。スロット５８の長さが、一次角部構造物３０の列よりも突出する第２の部分５１の長さを調整することを可能にする。
【００６８】
好ましくは、スロット５８は、その２つの端部５８ａおよび５８ｂが図４の断面図に示されているが、押さえ棒５０を２つの二平面断熱ブロック３１の間の空間３８内に完全に後退させることができるように充分に長い。したがって、ナット４７を締める前に、押さえ棒５０を、参照符合９９の一点鎖線にて示されている場所を完全に空けることによって平坦な一次断熱パネル２９の設置を容易にするこの後退位置（図６に示されている）と、図４に示される伸長位置との間で、スライドさせることが可能である。押さえ棒５０を伸ばす動きは、図６において矢印９８で示されている。
【００６９】
一実施形態において、平坦な一次断熱パネル２９の長さは、一次角部構造物３０の幅の９倍に等しく、したがって、一次角部構造物３０の幅の３倍の間隔で互いに離れて位置する４つの押さえ棒が、平坦な一次断熱パネル２９に、稜線に面するこの平坦な一次断熱パネル２９のエッジにおいて係合し、すなわち２つの押さえ棒５０が、このエッジの両端部、すなわち平坦な一次断熱パネル２９の２つの角部に位置し、２つの押さえ棒５０が、平坦な一次断熱パネル２９のエッジの中央領域に位置する。この中央領域が、図３に示されている。
【００７０】
図３に部分的に示されているように、平坦な一次断熱パネル２９は、長手方向のエッジ２６を稜線１０に平行にしたおおむね矩形の平行六面体形状を有する。平坦な一次断熱パネル２９は、例えば、断熱ポリマー発泡体の層を堅固な下部シート（そのうちの露出領域２８だけを見て取ることができる）と堅固なカバーシート２５との間に挟んで構成された複合構造を有する。ノッチ２７が、堅固なカバーシート２５および断熱ポリマー発泡体層に形成され、プレート２０に整列して稜線１０に垂直に延び、長手方向のエッジ２６に現れて、堅固な下部シートの露出領域２８を露出させる。
【００７１】
組み立てられると、押さえ棒５０の第２の部分５１は、ノッチ２７にはまり込み、随意によりシム４８によって、堅固な下部シートの露出領域２８を押さえる。別のシム４９を、押さえ棒５０の他端と二次膜（図示せず）との間に挿入することができる。シム４８および４９は、押さえ棒５０と平坦な一次断熱パネル２９の下部シートとが互いに平行であることを保証するように寸法付けられる。シムは、二次封止膜１５を突き刺したり、傷つけたり、あるいは損傷させたりするリスクを防ぐために、充分に柔らかい材料で製作される。例えば、合板、プラスチック、またはエポキシ樹脂から製作することが可能である。
【００７２】
このようにして組み立てられた押さえ棒５０は、いくつかの利点を提供する。すなわち、第２の部分５１が、平坦な一次断熱パネル２９を好ましくはこのパネルのエッジから離れた場所で押さえるタンクの平坦な壁に実質的に平行な片持ち梁の長さである。したがって、平坦な一次断熱パネル２９を二次膜上に保持することが、平坦な一次断熱パネル２９上にいかなる複雑な準備も必要とせず、単に下部シートの平坦な一部分を露出させるだけで可能になる。
【００７３】
加えて、第２の部分５１の長さが、スタッド４５をスロット５８の長さにおいてスライドさせることによって容易に調整可能である。したがって、この構成は、異なる寸法を有し、あるいは異なる長さのノッチ２７を有する平坦な一次断熱パネルに合わせて、容易に調整可能である。ノッチ２７の長さは、とくには断熱パネル２９の幅を減らすべくエッジ２６を切断したときに短くなる可能性がある。
【００７４】
加えて、押さえ棒５０が二次角部構造物１３によって保持されたスタッドに固定されているため、その位置が、二次角部構造物１３に隣接する平坦な二次断熱パネル（図示せず）のサイズによって影響されることがない。したがって、この構成は、さまざまな寸法の平坦な二次断熱パネルに合わせて容易に調整可能である。
【００７５】
図４に見られるように、各々のアングルセクション３２は、稜線１０の方向に沿ったアングルセクション３２の２つの反対向きの端部において二平面断熱ブロック３１よりも突出する２つの突出リム５３を有する。したがって、２つの二平面断熱ブロック３１の間の空間３８は、その両側の２つの突出リム５３によって部分的に覆われる。
【００７６】
空間３８に配置されたアンカー部材へのアクセスを確保するために、少なくともアンカー部材の両側に位置する２つの突出リム５３の各々に、スタッド４５に整列して位置し、稜線１０に対して横向きの端縁５５に形成された切り欠き５４が設けられる。
【００７７】
随意により、図２に示されるように、製造を標準化するために、すべてのアングルセクション３２のすべての突出リム５３が、この切り欠き５４を有してもよい。
【００７８】
図５においてより明瞭に見て取ることができるとおり、切り欠き５４は、例えば円筒形のヘッド６１を有するソケットレンチなどの締め付け工具６０、またはねじ回しを通過させるための充分な空間を、２つの突出リム５３の間に形成するように機能する。したがって、稜線１０の方向の切り欠き５４の深さを、２つの対面する切り欠き５４の底部の間に円筒形ヘッド６１の直径よりわずかに大きい距離Ｄが形成されるように、寸法付けることができる。端縁５５に沿った切り欠き５４の長さは、同じ距離Ｄに実質的に等しくてよく、例えば約３０ｍｍであってよい。
【００７９】
次に、タンクの角部領域の組み立ての手順を簡単に説明する。・キャップナット４２を含む二次断熱バリアおよび二次封止膜１５を組み立てる。・押さえ棒のスロット５８をキャップナット４２に整列させて、押さえ棒５０を後退位置に配置する。・スタッド４５を押さえ棒５０のスロット５８を通って挿入してキャップナット４２へとねじ込み、ナット４７をスタッド４５上で非締め付け位置に位置させる。・断熱ジョイント３９を一次角部構造物３０の場所の間に配置する。押さえ棒５０が存在する場所で、断熱ジョイント３９は、押さえ棒５０の中空なＵ字形の断面へと挿入されるポストを下部に有する。さらに、断熱ジョイント３９は、スタッド４５およびナット４７を受け入れるためのキャップナット４２に整列した円柱形のウェル５６も有する。・断熱ジョイント３９の両側において一次角部構造物３０を二次角部構造物１３へと固定する。・平坦な一次断熱パネル２９を一次角部構造物３０の列に隣接させて設置する。・断熱ジョイント３９を円柱形のウェル５６内に取り付けられたスタッド４５によって動かないようにしたままで、押さえ棒５０を伸長位置へと移動させる。・アングルセクション３２の切り欠き５４および断熱ジョイント３９の円柱形のウェル５６を介してナット４７をスタッド４５にねじ込み、押さえ棒５０を押さえる。・円柱形のプラグ５７を円柱形のウェル５６へと挿入し、ウェル５６を閉じる。・一次封止膜を配置する。
【００８０】
稜線の両側に位置するタンクの壁の平坦な部分は、同一に構成されても、違った構成であってもよく、対称に構成されても、非対称に構成されてもよい。さらに、上記においては、タンクの角部が１つだけ説明されているが、タンクの他の角部は、同一に構成されても、違った構成であってもよい。
【００８１】
次に、図７〜図１０を参照して、稜線１０の一端部、すなわち３つの平坦な壁の間の交差部におけるタンクの壁の構造を説明する。ここに示されている３つの壁は、底壁、端壁、および下部斜め壁をそれぞれ形成している。下部斜め壁は、底壁と１３５°の角度を形成している。下部斜め壁および底壁は、端壁に対して垂直である。このような配置は、例えば、おおむね多面体の形状を有しており、２つの八角形の端壁を８つの壁、すなわち水平な底壁および水平な天井壁と、２つの垂直な側壁と、側壁のうちの１つを天井壁にそれぞれ接続する２つの上部斜め壁と、側壁のうちの１つを底壁にそれぞれ接続する２つの下部斜め壁とで互いに接続して備えているタンクに相当する。
【００８２】
この領域においては、図７に示されるように、二次角部構造物１３の列が、３つの荷重支持壁の各々の荷重支持構造物にそれぞれ固定された３つの断熱パネルの組で構成された最後の二次角部構造物１１３で終わる。最後の二次角部構造物１１３の３つの断熱パネルの各々は、二次角部構造物１３のサンドイッチ構造と同一のサンドイッチ構造を有し、すなわち断熱ポリマー発泡体の層１１６を例えば合板から作られた２枚の剛体シート１１７、１１８の間に挟んで構成されている。
【００８３】
最後の二次角部構造物１１３の３つの断熱パネルの各々において、剛体シート１１８は、構造および機能が二次角部構造物１３に関して上述した固定プレート２１および４０と同一である固定プレート１２１および１４０を保持する。とくに、固定プレート１２１は、最後の一次角部構造物１３０（図７）を最後の二次角部構造物１１３に固定することを可能にする。
【００８４】
プレート４０は、一次角部構造物の列の最後の一次角部構造物１３０と最後から２番目の一次角部構造物２３０（図７）との間の空間にアンカー部材を固定することを可能にする。このアンカー部材は、図９において見て取ることができる押さえ棒１５０のスロット１５８にはまり込むスタッド１４５を含む。
【００８５】
図８も、稜線の端部領域の図であり、図７の二次角部構造物上に組み付けられた一次角部構造物をさらに示している。図を単純にするために、二次封止膜は全体が省略されている。
【００８６】
図示のとおり、列の最後の一次角部構造物１３０は、最後の二次角部構造物１１３の３つの断熱パネルの各々にそれぞれ当接する３つの断熱ブロックからなる。加えて、最後の一次角部構造物１３０の断熱ブロックの各々は、三面アングルセクション１３２が載せられる内面を含み、三面アングルセクション１３２の全体的な構造は、下部斜め壁に平行な第３のフランジ１００が存在することを除き、一次角部構造物３０の金属製アングルセクション３２と同様である。三面アングルセクション１３２は、とくには、スタッド１３６、オリフィス１３７、およびリム１５３を含み、それらの構造および機能は、上述のスタッド３６、オリフィス３７、およびリム５３と同様である。
【００８７】
最後から２番目の一次角部構造物２３０は、一次角部構造物３０の要素と同様または同一の要素に関して、２００だけ増やした参照符号を使用して示されている。二平面断熱ブロック２３１は、二平面断熱ブロック３１よりも長く、稜線の方向の２つの連続する金属製アングルセクションを内面に保持している。金属製アングルセクション２３２は、一次角部構造物３０の金属製アングルセクション３２と実質的に同一であるが、二平面断熱ブロック２３１が最後の一次角部構造物１３０に向かって長く延ばされているため、稜線１０に沿ってより長い寸法を有することができ、二平面断熱ブロック２３１の片側（図示せず）においてのみ延びている。
【００８８】
金属製アングルセクション６５が、金属製アングルセクション２３２の隣に小さなすき間を空けて配置され、一次角部構造物３０の金属製アングルセクション３２と同じやり方で二平面断熱ブロック２３１に固定される。金属製アングルセクション６５は、空間１３８の上方に稜線１０の方向に沿って二平面断熱ブロック２３１よりも突出する突出リム２５３を有する。空間１３８は、その両側の２つの突出リム１５３および２５３によって部分的に覆われる。
【００８９】
突出リム１５３および／または突出リム２５３は、空間１３８に位置するアンカー部材へのアクセスを容易にするために切り欠きを含むことができる。ここでは、切り欠き２５４が、突出リム２５３にのみ存在している。
【００９０】
さらに、最後から２番目の一次角部構造物２３０は、二次断熱バリアに、最後の一次角部構造物１３０から最も遠い部分、すなわちすでに述べたやり方と同じやり方で下方にある最後から２番目の二次角部構造物１３へと固定された金属製アングルセクション２３２を保持している部分においてのみ固定される。この目的のために、金属製アングルセクション２３２は、オリフィス２３７をさらに有する。
【００９１】
反対に、金属製アングルセクション６５は、二平面断熱ブロック２３１のうちの最後の一次角部構造物１３０に面する部分が、最後から二番目の二次角部構造物１３と最後の二次角部構造物１１３との間のすき間６６をまたぎ、最後の二次角部構造物１１３上に延びるが、最後の二次角部構造物１１３に固定はされないため、オリフィスを含まず、連続的であってよい。
【００９２】
この構成は、製造公差を補償するために容易に調整することができる二次断熱バリア内のすき間６６の正確な寸法に依存しないという利点を有する。
【００９３】
さらに、一次断熱バリアを荷重支持構造物の寸法製造公差に合わせて調整するために、最後から２番目の一次角部構造物２３０を測定寸法に合わせて切断することが可能であり、すなわち最後の一次角部構造物１３０に面する二平面断熱ブロック２３１の端部および金属製アングルセクション６５の端部を切断することが可能である。この端部は二次断熱バリアに固定されることがないため、この切断はいかなる面倒ももたらさない。この場合、切り欠き部２５４は、金属製アングルセクション６５が所望の長さに切断された後に追加される。
【００９４】
図９は、図８と同じタンクの領域を示しているが、最後から２番目の一次角部構造物２３０に隣接する最後の平坦な一次断熱パネル１２９が追加されている。この平坦な一次断熱パネル１２９は、図３のノッチ２７と同様のやり方で、堅固な下部シート（図示せず）の角部領域に整列させて形成され、この角部領域を露出させる凹部１２７を有している。さらに、図９は、すでに述べたように凹部１２７にはまり込んで露出領域を押さえる押さえ棒１５０を示している。
【００９５】
次に、図９および図１０を参照して、タンクの角部における一次封止膜の構造を説明する。
【００９６】
一次封止膜は、例えば、互いに垂直な２つの一連の波形を有する膜である。基本的に国際公開第２０１７／００６０４４号パンフレットに記載のとおりに製作することが可能である。稜線に隣接する一次封止膜の金属シート６７が、稜線に面するそれぞれのエッジに沿って、金属製アングルセクション３２、２３２、６５、１３２に溶接される。さらに、金属製角部ピース６８、１６８、２６８が、２つの連続する金属製アングルセクション３２、２３２、６５、１３２の間の各々の界面をまたいで溶接される。
【００９７】
角部ピース６８、１６８、２６８は、オリフィス３７、１３７、２３７を覆い、金属製アングルセクションの切り欠き５４、２５４は、稜線１０に対して垂直に向けられた一次封止膜の波形の連続性を生み出す。
【００９８】
図１１が、稜線１０に沿ったタンクの壁の別の実施形態を示している。図を単純にするために、一次および二次封止膜は省略されている。図２〜図４の要素と同様または同一の要素は、３００だけ増やした同じ参照符号を有しており、図２〜図４の要素と異なる限りにおいて説明される。
【００９９】
この実施形態において、一次角部構造物３３０は、２つの二平面断熱ブロック３３１の間の各々の空間３３８に配置されたスタッド３４５によって、二次角部構造物３１３に固定される。この目的のために、剛体シート３３４は、剛体シート３３４の２つの横リムが露出するように、ポリマー発泡体層３３３よりもわずかに幅広い。
【０１００】
押さえ棒３５０は、スタッド３４５が通過する長円形であってよいボアを有し、間にスタッド３４５が配置された２つの一次角部構造物３３０の剛体シート３３４の横リムを押さえる。したがって、各々の一次角部構造物３３０は、その剛体シート３３４の２つの横リムに係合する２つの押さえ棒３５０によって保持される。ナット（図示せず）が、各々のスタッド３４５にねじ込まれ、押さえ棒３５０を荷重支持構造物に向かって押す。金属製アングルセクション３３２のエッジの切り欠き３５４が、すでに述べたように、スタッド３４５の組み込みおよびその後のナットの配置を容易にする。
【０１０１】
一次角部構造物３３０のこの固定方法ゆえに、金属製アングルセクション３３２にオリフィスが存在せず、したがって金属製アングルセクション３３２を連続的にすることができる。
【０１０２】
一次角部構造物３３０の列に隣接する平坦な一次断熱パネル３２９を二次バリアに固定するために、スタッド６９の列を、一次角部構造物３３０の列の両側に設けることができる。これにより、図示のように、より広い二次角部構造物３１３を用意することが必要になる可能性がある。
【０１０３】
一実施形態においては、二次断熱バリアおよび二次封止膜が存在せず、一次断熱バリアを固定するスタッドが、荷重支持壁１１、１２によって直接保持される。
【０１０４】
流体を貯蔵するための密閉断熱タンクを製造するための上述の技術は、例えば陸上設備あるいはメタン輸送船または他の船舶などの浮体構造物におけるＬＮＧ貯蔵槽の形成など、さまざまな種類の貯蔵槽において使用可能である。
【０１０５】
平坦な部分が稜線において出会う実際に多面体である支持面の文脈において上述した技術は、平坦な部分の間の接続部を形成する丸みを帯びた部分を稜線の代わりに有するおおむね多面体である支持面にも適用可能である。稜線領域という用語が、両方の文脈において２つの平坦な部分の間の接続部を指して使用され、実際の稜線または２つの平坦な部分の間の丸みを帯びた部分に対応できる。
【０１０６】
図１２を参照すると、メタン輸送船７０の切断図が、船舶の二重船体７２に組み込まれたおおむね角柱の形状の密閉断熱タンク７１を示している。タンク７１の壁は、タンクに収容されるＬＮＧとの接触に適した一次封止バリア、一次封止バリアと船舶の二重船体７２との間に配置された二次封止バリア、ならびに一次封止バリアと二次封止バリアとの間および二次封止バリアと二重船体７２との間にそれぞれ配置された２つの断熱バリアを含む。
【０１０７】
それ自体は既知のやり方で、船舶の上甲板に配置された積み込み／積み下ろしパイプ７３を、適切なコネクタによって海上または港湾のターミナルへと接続し、積み荷であるＬＮＧをタンク７１から移し、あるいはタンク７１へと移すことができる。
【０１０８】
図１２は、積み込みおよび積み下ろしステーション７５と、海中パイプライン７６と、陸上設備７７とを含む海洋ターミナルの例を示している。積み込みおよび積み降ろしステーション７５は、可動アーム７４と、可動アーム７４を支持するタワー７８とを含む固定された沖合設備である。可動アーム７４は、積み込み／積み下ろしパイプ７３へと接続することができる断熱可撓ホース７９の束を保持する。方向を変えることが可能な可動アーム７４は、あらゆるサイズのメタン輸送船に適する。接続パイプライン（図示せず）が、タワー７８の内部を延びている。積み込みおよび積み下ろしステーション７５は、陸上設備７７からメタン輸送船への積み込み、または陸上設備７７へのメタン運搬船７０からの積み下ろしを可能にする。陸上設備７７は、液化ガス貯蔵タンク８０と、海中パイプライン７６によって積み込みまたは積み下ろしステーション７５へと接続された接続パイプライン８１とを含む。海中パイプライン７６は、積み込みまたは積み下ろしステーション７５と陸上設備７７との間で液化ガスを例えば５ｋｍなどの長距離にわたって移送することを可能にし、これはメタン輸送船７０を積み込みおよび積み下ろし作業の際に海岸から長距離に保つことを可能にする。
【０１０９】
液化ガスの移送に必要な圧力を生成するために、船舶７０に搭載されたポンプおよび／または陸上設備７７に設けられたポンプならびに／あるいは積み込みおよび積み下ろしステーション７５に設けられたポンプが実装される。
【０１１０】
本発明をいくつかの具体的な実施形態を参照して説明したが、本発明が、決してそれらの実施形態に限定されず、本発明が、上述した手段のあらゆる技術的同等物およびそれらのあらゆる組み合わせを、それらが本発明の技術的範囲に包含されるならば含むことは、明らかである。
【０１１１】
動詞「・・・を含む」または「・・・を備える」ならびにその活用形の使用は、請求項に記載された要素またはステップ以外の他の要素またはステップの存在を排除しない。要素またはステップについての不定冠詞「１つの・・・」の使用は、とくに明記されない限り、そのような要素またはステップが複数存在することを排除するものではない。
【０１１２】
請求項において、括弧内の参照符号を請求項を限定するものとして解釈することはできない。
【図１】
2021501858.tif 000003
【図２】
2021501858.tif 000004
【図３】
2021501858.tif 000005
【図４】
2021501858.tif 000006
【図５】
2021501858.tif 000007
【図６】
2021501858.tif 000008
【図７】
2021501858.tif 000009
【図８】
2021501858.tif 000010
【図９】
2021501858.tif 000011
【図１０】
2021501858.tif 000012
【図１１】
2021501858.tif 000013
【図１２】
2021501858.tif 000014
【国際調査報告】
2021501858.tif 000015
2021501858.tif 000016
2021501858.tif 000017
2021501858.tif 000018